(57)【特許請求の範囲】
【請求項１】
ヘルプ状態であるか否かを切り換えるヘルプスイッチ１０５ｂと、
前記ヘルプスイッチ１０５ｂの状態をスイッチ情報に変換する入力回路１０６と、
ユーザーに伝達するヘルプ情報を記憶するヘルプ情報記憶回路１１３と、
現在の設定状態を記憶する設定情報記憶回路１１０と、
前記入力回路１０６からの前記スイッチ情報が入力されると、前記設定情報記憶回路１１０から設定状態を確認し、前記ヘルプ情報から前記設定状態に基づいたヘルプ情報を前記ヘルプ記憶回路１１３から選択するヘルプ情報選択回路１１１と、
前記ヘルプ情報選択回路１１１の選択したヘルプ情報を出力するヘルプ情報出力回路１１２と、
前記ヘルプ情報出力回路１１２から出力された情報を表示信号に変換する表示駆動回路１１４と、
前記表示駆動回路１１４の表示信号を入力して表示する表示部１１５と、
前記ヘルプ情報選択回路１１１が複数のヘルプ情報を選択した場合において、前記ヘルプ情報出力回路１１２は１つのヘルプ情報を出力終了後、次に出力すべきヘルプ情報を前記ヘルプ情報選択回路１１１に要求し、順次前記複数のヘルプ情報を出力する電子時計。
【請求項２】
ヘルプ状態であるか否かを切り換えるヘルプスイッチ１０５ｂと、
前記ヘルプスイッチ１０５ｂの状態をスイッチ情報に変換する入力回路１０６と、
ユーザーに伝達するヘルプ情報を記憶するヘルプ情報記憶回路１１３と、
現在の設定状態を記憶する設定情報記憶回路１１０と、
前記入力回路１０６からの前記スイッチ情報が入力されると、前記設定情報記憶回路１１０から設定状態を確認し、前記ヘルプ情報から前記設定状態に基づいたヘルプ情報を前記ヘルプ記憶回路１１３から選択するヘルプ情報選択回路１１１と、
前記ヘルプ情報選択回路１１１の選択したヘルプ情報を出力するヘルプ情報出力回路１１２と、
前記ヘルプ情報出力回路１１２から出力された情報を表示信号に変換する表示駆動回路１１４と、
前記表示駆動回路１１４の表示信号を入力して表示する表示部１１５と、を有し、
ヘルプ情報が出力されていない状態で、前記ヘルプスイッチ６０５ｂを入力したとき、
前記入力回路６０６は前記ヘルプ情報選択回路６１１にヘルプスイッチ６０５ｂ入力されたスイッチ情報を前記ヘルプ情報選択回路６１１に出力し、前記ヘルプ情報選択回路６１１はヘルプ情報を選択し、前記ヘルプ情報出力回路６１２にヘルプ情報出力を要求し、前記ヘルプ情報出力回路６１２はヘルプ情報を出力する前に、ある一定時間ヘルプ情報出力の予告情報を出力する電子時計。
【請求項３】
ヘルプ状態であるか否かを切り換えるヘルプスイッチ１０５ｂと、
前記ヘルプスイッチ１０５ｂの状態をスイッチ情報に変換する入力回路１０６と、
ユーザーに伝達するヘルプ情報を記憶するヘルプ情報記憶回路１１３と、
現在の設定状態を記憶する設定情報記憶回路１１０と、
前記入力回路１０６からの前記スイッチ情報が入力されると、前記設定情報記憶回路１１０から設定状態を確認し、前記ヘルプ情報から前記設定状態に基づいたヘルプ情報を前記ヘルプ記憶回路１１３から選択するヘルプ情報選択回路１１１と、
前記ヘルプ情報選択回路１１１の選択したヘルプ情報を出力するヘルプ情報出力回路１１２と、
前記ヘルプ情報出力回路１１２から出力された情報を表示信号に変換する表示駆動回路１１４と、
前記表示駆動回路１１４の表示信号を入力して表示する表示部１１５と、を有し、
ヘルプ情報出力時に、操作有効な機能スイッチ１４０５ａを入力したとき、機能選択回路１４０８は前記ヘルプ情報出力回路１４１２にヘルプ情報出力終了命令を出力し、前記ヘルプ情報出力回路１４１２はヘルプ情報の出力を終了し、また前記機能選択回路１４０８は計数回路１４０３のカウント開始及び停止する機能、計数情報の修正などを要求する機能、前記設定情報記憶回路１４１０の設定情報を変更する機能、のどれかを選択し各機能動作を行い、ヘルプ情報を出力しているとき、操作有効な前記機能スイッチ１４０５ａを入力によりヘルプ情報出力を終了させる命令を出力することを特徴とする電子時計。
【請求項４】
ヘルプ状態であるか否かを切り換えるヘルプスイッチ１０５ｂと、
前記ヘルプスイッチ１０５ｂの状態をスイッチ情報に変換する入力回路１０６と、
ユーザーに伝達するヘルプ情報を記憶するヘルプ情報記憶回路１１３と、
現在の設定状態を記憶する設定情報記憶回路１１０と、
前記入力回路１０６からの前記スイッチ情報が入力されると、前記設定情報記憶回路１１０から設定状態を確認し、前記ヘルプ情報から前記設定状態に基づいたヘルプ情報を前記ヘルプ記憶回路１１３から選択するヘルプ情報選択回路１１１と、
前記ヘルプ情報選択回路１１１の選択したヘルプ情報を出力するヘルプ情報出力回路１１２と、
前記ヘルプ情報出力回路１１２から出力された情報を表示信号に変換する表示駆動回路１１４と、
前記表示駆動回路１１４の表示信号を入力して表示する表示部１１５と、を有し、
ある任意のモード及び設定状態において、操作無効な機能スイッチ１４０５ａを入力したとき、前記入力回路１４０６により、操作無効なスイッチ情報が前記機能選択回路１４０７に出力し、前記機能選択回路１４０７は操作無効なスイッチ情報と判断すると、ヘルプ情報の出力開始命令を前記ヘルプ情報出力回路１４１２に出力し、前記ヘルプ情報出力回路１４１２は前記ヘルプ情報選択回路１４１１にヘルプ情報を要求し、前記ヘルプ情報選択回路１４１１はモード及び設定状態により、前記ヘルプ情報記憶回路１４１３からヘルプ情報を選択し、前記ヘルプ情報出力回路１４１３は選択されたヘルプ情報を出力し、前記ヘルプスイッチ１４０５ｂの入力に関わらず前記機能スイッチ１４０５ａで無効操作するとヘルプ情報を出力する電子時計。
【請求項５】
任意のモード及び設定状態において、前記ヘルプ情報選択回路１１１により選択されたすべてのヘルプ情報を出力したとき、前記ヘルプ情報出力回路１１２はヘルプ情報の出力を停止し、前記ヘルプスイッチ１０５ｂが押される直前のモード及び設定状態に復帰する請求項１又は２記載の電子時計。
【請求項６】
前記表示部１１５は、ヘルプ状態であるか否かを識別するための識別情報を表示する請求項１記載の電子時計。
【請求項７】
前記表示部１１５は、前記ヘルプ情報選択回路１１１で選択された前記ヘルプ情報をスクロールすることにより表示する請求項１記載の電子時計。
【請求項８】
前記表示部１１５は、前記関連情報を点滅させて表示する請求項７記載の電子時計。
【請求項９】
前記表示部１１５は、前記ヘルプ情報選択回路１１１で選択された前記ヘルプ情報をスクロールすることにより表示する請求項１又は４記載の電子時計。
【請求項１０】
前記機能選択回路６０８がスクロールスピード設定可能な状態において、前記機能スイッチ６０５ａを入力すると、前記入力回路６０６によりスイッチ情報が前記機能選択回路６０８に入力され、前記機能選択回路６０８はスクロールスピード設定機能を選択し、前記設定情報記憶回路６１０に記憶しているスクロールスピード情報を任意変更し、前記ヘルプ情報出力回路１１２はヘルプ情報を任意設定されたスクロールスピードで出力することを特徴とする請求項９記載の電子時計。
【請求項１１】
ある任意のモード及び設定状態において、前記ヘルプ情報選択回路１２１３により選択されたすべてのヘルプ情報を出力したとき、最初に表示したヘルプ情報に戻り、繰り返し表示することを特徴とする請求項１又は４記載の電子時計。
【請求項１２】
あらかじめ設定されたヘルプ情報を出力する繰り返し回数を記憶している前記設定情報記憶回路１２１０と、ヘルプ情報の出力終了回数をカウントするヘルプ情報計数回路１２１２と、前記設定情報記憶回路１２１０に記憶している繰り返し回数と前記ヘルプ情報計数回路１２１２のカウント値を比較し、カウント値が一致した場合、ヘルプ情報の出力停止命令を出力し、カウント値が一致しない場合、最初に表示したヘルプ情報に戻り、繰り返しヘルプ情報の出力を要求するヘルプ情報計数比較回路１２１４と、を有することにより、一定回数ヘルプ情報の出力を繰り返すことを特徴とする請求項３及び請求項１１記載の電子時計。
【請求項１３】
前記機能選択回路１２０８がヘルプ情報の繰り返し回数が設定可能な状態において、前記機能スイッチ１２０５ａを入力すると、前記入力回路１００６からのスイッチ情報により、前記機能選択回路１２０８はヘルプ情報の繰り返し回数を設定する機能を選択し、前記設定情報記憶回路１２０８に記憶しているヘルプ情報の繰り返し回数の設定値を任意な値に変更できる請求項１１又は１２記載の電子時計。
【請求項１４】
ある任意のモード及び設定状態において、前記ヘルプ情報選択回路１２１３が複数のヘルプ情報を選択し、前記ヘルプ情報出力回路１２１４が選択されたヘルプ情報の中から１つのヘルプ情報を出力しているとき、前記ヘルプスイッチ１００５ｂを入力すると、前記入力回路１２０６は前記ヘルプ情報選択回路１２１３に前記ヘルプスイッチ１２０５ｂが入力されたスイッチ情報を出力し、前記ヘルプ情報選択回路１２１３は、前記ヘルプ情報が出力中と判断し、前記ヘルプ情報とは違う他のヘルプ情報の出力要求をし、ヘルプ情報出力回路１０１４はヘルプ情報を出力することを特徴とする請求項１記載の電子時計。
【請求項１５】
前記予告情報は、ヘルプスイッチ位置を示す表示要素（１１０１、１１０２、１１０６、１１０８）を全て点灯あるいは点滅して表示する請求項２記載の電子時計。
【発明の詳細な説明】
【０００１】
【発明の属する技術分野】
本発明は、ヘルプ情報を表示する電子時計に関するものである。
【０００２】
【従来の技術】
従来の電子時計における機能ブロック図を図１５に示す。
発振回路１５０１の動作により、ある一定の周波数が分周回路１５０２に入力し、様々な周波数に分周される。分周された様々な周波数の信号により、計数回路１５０３は時刻、クロノグラフ、カウントダウンタイマなどの計数をカウントする。計数回路１５０３によりカウントされた計数情報は表示駆動回路１５１１により、表示駆動信号に変換され計数情報を表示部１５１２に表示する。機能スイッチ１５０５を操作すると、入力回路１５０６によりどのスイッチが押されたかスイッチ情報に変換し、変換されたスイッチ情報と設定情報記憶回路１５１０により記憶していた設定情報により、機能選択回路は、計数回路１５０３のカウント開始及び停止、計数情報の修正や、設定情報記憶回路１５１０により記憶していた設定情報を変更及び設定情報の出力要求などの機能を選択し、機能出力回路１５０７により、計数回路を制御したり、設定記憶回路１５１０の設定情報を変更する。また設定情報は設定情報出力回路１５０９により出力され、表示駆動回路１５１１により、表示駆動信号に変換され設定情報を表示部１５１２に表示する。設定情報記憶回路１５１０はＲＡＭ、計数回路出力回路１５０４、機能出力回路１５０７、機能選択回路１５０８、設定情報出力回路１５０９はマイコンなどによりプログラミングされたＲＯＭをＣＰＵにより演算処理行うことにより実現されている。
【０００３】
【発明が解決しようとする課題】
従来の電子時計では、クロノグラフ、カウントダウンタイマなどをはじめとする様々な機能が付加されている場合、ボタンの数が少ないために、操作が複雑になってしまい、ユーザーが欲する機能を使用しようとすると、操作したいにもかかわらず、操作すべき方法がわからない場合や操作方法を思い出せない場合、ユーザーが取扱説明書から該当する個所を捜し、取扱説明書を読まなければならないという問題点があった。また、操作したいにもかかわらず、操作すべき方法がわからない場合や操作方法を思い出せない場合、取扱説明書を携帯しなければならず、携帯していないときは、その操作をあきらめざるを得ないという問題点があった。さらに、誤操作により記憶している計測データやメモなどの記憶情報を消去してしまうという問題もあった。
【０００４】
【課題を解決するための手段】
上記課題を解決するために、本発明は第一に、発振回路と、発振回路の出力を分周する分周回路と、分周回路より出力される様々な周波数の信号により、時刻、クロノグラフ、カウントダウンタイマなどの計数をカウントする計数回路と、計数回路の計数情報を表示駆動回路に出力する計数情報出力回路と、モード及び各種設定情報を記憶している設定情報記憶回路と、モード及び各種状態の設定及び、計数回路のカウント開始及び停止、計数情報の修正などを要求するための外部操作として、少なくとも２つ以上ある複数の機能スイッチと、機能スイッチを操作することにより、どのスイッチが押されたかスイッチ情報に変換する入力回路と、入力回路により変換されたスイッチ情報と設定情報記憶回路により記憶していた設定情報により、計数回路のカウント開始及び停止する機能、計数情報の修正する機能、設定情報記憶回路の設定情報を変更及び出力要求する機能、などを選択する機能選択回路と、機能選択回路により、計数回路のカウント開始及び停止する機能、計数情報の修正機能など、計数回路に動作命令する機能が選択された場合、計数回路にを動作命令を出力する機能出力回路と、設定情報記憶回路の設定情報を表示駆動回路に出力する設定情報出力回路と、計数情報出力回路より出力される計数情報と設定情報出力回路より出力される設定情報を表示部の駆動信号に変換する表示駆動回路と、表示駆動回路の駆動信号により、計数情報と設定情報を表示する表示部と、モード及び設定状態により分類化した、スイッチ情報とスイッチの機能を説明する文字列情報による構成のヘルプ情報で記憶されているヘルプ情報記憶回路と、設定情報記憶回路に記憶されているモード及び各種設定の状態により、ヘルプ情報記憶回路により記憶されているヘルプ情報を選択するヘルプ情報選択回路と、ヘルプ情報選択回路により選択されたヘルプ情報を表示駆動回路に出力するヘルプ情報出力回路と、ヘルプ情報を要求するための外部操作であるヘルプスイッチと、を有する構成とした。
【０００５】
ユーザーがヘルプスイッチを操作すると、設定情報記憶回路に記憶されているヘルプスイッチが操作された直前のモード及び設定状態が、ヘルプ情報選択回路に入力される。ヘルプ情報選択回路は、前記直前のモード及び設定状態に関連するヘルプ情報をヘルプ情報記憶回路から選び出す。選び出された前記ヘルプ情報は、ヘルプ情報出力回路に出力され、表示駆動回路を介して表示部で表示される。
【０００６】
第二に、第一の構成に、ヘルプ情報の出力終了回数をカウントするヘルプ情報計数回路と、設定情報記憶回路に記憶しているヘルプ情報出力の繰り返し回数とヘルプ情報計数回路のカウント値を比較し、カウント値が一致した場合、ヘルプ情報の出力停止命令を出力し、カウント値が一致しない場合、最初に表示したヘルプ情報に戻り、繰り返しヘルプ情報の出力を要求するヘルプ情報計数比較回路と、を有する構成とした。
【０００７】
設定情報記憶回路にヘルプ情報を繰り返して出力する回数を記憶さておき、ヘルプ情報を出力した回数をユーザーが必要とする繰り返し回数だけヘルプ情報を出力することができる。
【０００８】
【発明実施の形態】
図１は、本発明の代表的な構成の一例を示す機能ブロック図である。図１において、発振回路１０１は、一定の周波数を有する発振信号を発振する。前記発振信号は分周回路１０２に入力され、分周回路１０２により様々な周波数の信号をつくりだす分周信号に分周される。分周信号は、計数回路１０３に入力され、計数回路１０３は、時刻、クロノグラフ、カウントダウンタイマなどの計数情報をカウントする。計数回路１０３によりカウントされた計数情報は、計数情報出力回路１０４に入力され、計数情報出力信号に変換される。前記計数情報出力信号は表示駆動回路１１４に入力され、表示駆動信号に変換される。表示駆動信号は表示部１１５に入力され、表示部１１５は、必要な情報を表示する。機能スイッチ１０５ａは、時刻、クロノグラフ、カウントダウンタイマなどのモードを切り換えたり、それぞれのモードにおいて各種の設定等を行うものである。入力回路１０６は、機能スイッチ１０５ａが操作されたか否かを検出するとともに、どの機能スイッチ１０５ａが操作されたかをも検出し、これらをスイッチ情報に変換する。設定情報記憶回路１１０はモードや各種設定情報を記憶している。機能選択回路１０８は、入力回路１０６により変換されたスイッチ情報と設定情報記憶回路１１０により記憶している設定情報により、計数回路１０３にカウント開始及び停止機能、計数情報の修正動作機能、などを選択する。また機能選択回路１０８は、設定情報記憶回路１１０に記憶している設定情報の変更及び設定情報の出力要求動作をおこなう。機能出力回路１０７は、機能選択回路１０８により選択された機能を計数回路１０３に動作命令を出力する。設定情報出力回路１０９は、設定情報記憶回路１１０の設定情報を表示駆動回路１１４に出力する。表示駆動回路１１４は、計数情報出力回路１０４より出力される計数情報と設定情報出力回路１０９より出力される設定情報を表示部１１５の駆動信号に変換し、表示部１１５は表示駆動回路１１４の駆動信号により、計数情報と設定情報を表示する。前記図１の動作内容の説明は従来の技術による電子時計と一致し、利用者が前記電子時計の操作がわからず、操作方法を引用したい場合、ヘルプ情報を要求するための外部操作であるヘルプスイッチ１０５ｂを入力することにより引用可能となる。以下にヘルプ情報を出力するまでの動作内容を説明する。ヘルプスイッチ１０５ｂを入力すると、入力回路１０６ヘルプスイッチが入力されたスイッチ情報に変換し、ヘルプ情報選択回路１１１にヘルプ情報の要求が入力され、ヘルプ情報選択回路１１１はヘルプ情報記憶回路１１３により記憶されているヘルプ情報を選択する。ヘルプ情報記憶回路１１３はモード及び設定状態により分類化したヘルプスイッチ情報とスイッチの機能を説明するヘルプ文字列情報の構成によるヘルプ情報で記憶している。ヘルプ情報選択回路１１１により選択されたヘルプ情報をヘルプ情報出力回路１１２は表示駆動回路１１４に出力する。表示駆動回路１１４は表示部１１５の駆動信号に変換し、表示部１１５は表示駆動回路１１４の駆動信号により、ヘルプ情報を表示する。
【０００９】
図２はヘルプ情報選択回路１１１の動作を示すフローチャートである。図２において、設定情報記憶回路１１０に記憶しているモードが時計モードか否かを判断し（２０１）、その他のモードの場合には、その他のヘルプ情報選択へ分岐する（２０９）。時計モードの場合には、時計モードの修正状態か否かを判断し（２０２）、修正状態の場合には、その他のヘルプ情報選択へ分岐する（２０９）。修正状態でない場合には、時計モードがホームタイムか、ローカルタイムかを判断し（２０３）、ローカルタイムの場合には、その他のヘルプ情報選択へ分岐する（２０９）。ホームタイムの場合には、モード及び各種設定状態により、ヘルプ情報の１つであるヘルプスイッチ情報が格納されている先頭アドレスを得る（２０４）。また、複数の判断と分岐により形成されたその他のヘルプ情報選択（２０９）も、モード及び各種設定状態により、ヘルプ情報の１つであるヘルプスイッチ情報が格納されている先頭アドレスを得る（２０４）。前記先頭アドレスによりヘルプスイッチ情報を得る（２０５）。ヘルプスイッチ情報は、例えば、スイッチを表すニブル型のデータであり、機能スイッチ１０５ａがスイッチＡ、スイッチＢ、スイッチＣ、スイッチＤの４つスイッチにより構成されている場合、これをビットで表すと、スイッチＡを“０００１ｂ”、スイッチＢを“００１０ｂ”、スイッチＣを“０１００ｂ”、スイッチＤを“１０００ｂ”とする。ヘルプスイッチ情報がスイッチＣ、スイッチＤ、スイッチＡ、スイッチＢ、の順で並んでいる場合、先頭アドレスより、“０１００ｂ、”“１０００ｂ”、“０００１ｂ”、“００１０ｂ”、“００００ｂ”と並んでいる。“００００ｂ”はスイッチ情報の終了を表すエンドコードである。また並んでいる順番はヘルプ情報を出力する順番を表している。ヘルプスイッチ情報がスイッチＣ、スイッチＤ、スイッチＡ、スイッチＢ、の順で並んでいる場合、最初に出力される情報はスイッチＣのヘルプスイッチ情報となる。ヘルプスイッチ情報を得た後（２０５）、スイッチ情報とモード及び各種設定状態により、スイッチの機能を説明するヘルプ文字列情報が格納されている先頭アドレスを得る（２０６）。さらに、前記先頭アドレスから、ヘルプ文字列情報を得る（２０７）。ここで、ヘルプ文字列情報の文字データはバイト型のデータで、アスキーコードのようにコード化しており、ヘルプ文字列情報の終了は、終了を表すエンドコードにより示す。
【００１０】
ヘルプスイッチ情報、ヘルプスイッチ情報を格納している先頭アドレス、ヘルプ文字列情報、ヘルプ文字列情報を格納している先頭アドレスはヘルプ情報記憶回路に１１３に記憶されている。ヘルプ情報選択回路１１１は、モード及び各種設定状態により、ヘルプスイッチ情報を格納している先頭アドレス、ヘルプ文字列情報を格納している先頭アドレスを取得することで、ヘルプスイッチ情報及びヘルプ文字列情報を得ることができる。
【００１１】
図３は、ヘルプ情報選択回路１１１の判断及び分岐の分類化を表にした一例である。図３において、モードとそのモードにおける状態１と状態２に対応して、出力すべきヘルプ情報とその順番が分類されている。この分類は、ヘルプ情報選択回路１１１が各モード等に対応して取得すべきヘルプスイッチ情報とヘルプ文字列情報を示している。モード、状態１、状態２により選択されたヘルプ情報のスイッチ情報は複数持っており、文字列情報は各々のスイッチ情報と１対１の対になっている。状態１列のＬＯＣＫとは、修正状態でない状態を意味している。
【００１２】
例えば、現在、モードが時計で、状態１と状態２がそれぞれで、ＬＯＣＫ、ホームタイムの場合、４つのヘルプスイッチ情報と４つのヘルプ文字列情報が選択される。ヘルプ情報の出力される順番は、まず始めにスイッチＣのヘルプスイッチ情報と“Ｆｏｒ  ｌｏｃａｌ  ｔｉｍｅ  ｈｏｌｄ  ｆｌａｓｈｉｎｇ  ｐｕｓｈｅｒ  ｆｏｒ  ３  ｓｅｃ”のヘルプ文字列情報、２番目にスイッチＤのヘルプスイッチ情報と“Ｆｏｒ  ｃｈｉｍｅ  ｏｎ／ｏｆｆ  ｐｒｅｓｓ  ｆｌａｓｈｉｎｇ  ｐｕｓｈｅｒ”のヘルプ文字列情報、３番目にスイッチＡのヘルプスイッチ情報と“Ｆｏｒ  ｍｅｍｏ  ｍｏｄｅ  ｐｒｅｓｓ  ｆｌａｓｈｉｎｇ  ｐｕｓｈｅｒ”のヘルプ文字列情報、４番目に、スイッチＢのヘルプスイッチ情報がと“Ｔｏ  ｓｅｔ  ｔｉｍｅ  ｈｏｌｄ  ｆｌａｓｈｉｎｇ  ｐｕｓｈｅｒ  ｆｏｒ  ２  ｓｅｃ”のヘルプ文字列情報となる。
【００１３】
図４は本発明の表示部の一例を示す図である。図４において、スイッチＡ、スイッチＢ、スイッチＣ、スイッチＤは機能スイッチ１０５ａである。また、スイッチＡ、スイッチＢ、スイッチＣ、スイッチＤは、右側面にスイッチＣとスイッチＤ、左側面にスイッチＡとスイッチＢを配置し、スイッチＡとスイッチＢが、それぞれスイッチＣとスイッチＤに対向するようにする。表示要素４０７、４０１、４０２、４０４は、それぞれスイッチＡ、スイッチＢ、スイッチＣ、スイッチＤの位置を示す。デジット部４０３は計数情報出力回路１０４から出力される時刻、クロノグラフ、タイマなどの計数情報を表示する。アイコン４０４は各種設定状態を表す。アイコン４０５はヘルプ情報出力中であることを示す。ドットマトリクス部４０６はヘルプ文字列情報を表示したり、ヘルプ情報が出力されていなければ、モード及び各種設定状態を表示する。表示の一例を示すと、現在、モードが時計で、状態１と状態２がそれぞれで、ＬＯＣＫ、ホームタイムの場合、上側面に設けたヘルプスイッチ１０５ｂを操作すると、ヘルプ情報選択回路１１１は、スイッチＣのヘルプスイッチ情報、及びスイッチＣと対になっているヘルプ文字列情報“Ｆｏｒ  ｌｏｃａｌ  ｔｉｍｅ  ｈｏｌｄ  ｆｌａｓｈｉｎｇｐｕｓｈｅｒ  ｆｏｒ  ３  ｓｅｃ”の表示データを表示駆動回路１１４に出力する。表示駆動回路１１４は表示駆動信号に変換する。表示部１１６は表示駆動信号により、アイコン４０５を点灯してヘルプ出力中であることを示し、スイッチＣの位置を示す表示要素４０２を点灯させる。また、ドットマトリクス部４０６は、“Ｆｏｒ  ｌｏｃａｌ  ｔｉｍｅ  ｈｏｌｄ  ｆｌａｓｈｉｎｇ  ｐｕｓｈｅｒ  ｆｏｒ  ３  ｓｅｃ”を表示する。文字列は１度に表示できないときは、文字を右から左にスクロールしながら表示する。以下同様に、図３の表にしたがって、ヘルプ情報が順次表示される。なお、文字スクロールについては、図６及び図８、図９にて説明する。
【００１４】
図５はヘルプ情報出力回路１１２の動作を示すフローチャートである。図５において、ヘルプ情報出力回路１１２はヘルプ情報選択回路１１１より出力要求が有るか無ないかを判断し（５０１）、無い場合はヘルプ情報の出力を停止する。一方、出力要求がある場合には、ヘルプスイッチ情報はスイッチの位置を示す表示データｌｄに変換される（５０２）。ヘルプ文字列情報の先頭文字にポインタｓｐを置き（５０３）、文字列ポインタｓｐで示される文字をフォントデータｆｄに変換する（５０４）。フォントデータｆｄは複数の列×行の２進コード化されたデータで、ドットマトリクス部４０６の表示要素を点灯するデータは“１”、消灯するデータは“０”とする。５０２より変換されたスイッチの位置を示す表示データｌｄを表示駆動回路１１４に出力し（５０５）、５０３により変換されたフォントデータｆｄをドットマトリクス部４０６に表示するように表示駆動回路１１４に出力する（５０６）。フォントデータｆｄ出力後、文字列ポインタｓｐを次の文字に進め、文字列ポインタｓｐの示す文字がエンドコードの場合５０９へ、エンドコードでない場合は５０４へ分岐し（５０８）、５０４から５０７までの動作を繰り返す。一方、エンドコードの場合には、ヘルプ情報選択回路１１１に次のヘルプ情報を要求する（５０９）。ヘルプスイッチ情報がエンドコードの場合、ヘルプ情報の出力を停止し、ヘルプスイッチ１０５ｂが押される直前のモード及び設定状態に復帰する。一方、ヘルプスイッチ情報がエンドコードではない場合、５０２に分岐し（５１０）、ヘルプ情報選択回路１１１よりヘルプ情報出力が要求され、５０２から５０９までの動作を繰り返す。
【００１５】
図６はスイッチ位置を示す表示要素の点滅及び文字列スクロールを可能にするための機能ブロック図である。図６において、図１と同じ構成により、同じ動作を行う。
図１との相違点は、第一に、分周回路６０２により出力される様々な周波数の信号はヘルプ情報出力回路６１２に入力され、様々な周波数信号のある特定の周波数のタイミングより、スイッチ位置を示す表示要素の点灯又は消灯するデータを出力する点である。点灯と消灯を組み合わせて、表示要素を点滅することもできる。点滅させる動作は、図７にて説明する。
【００１６】
第二に、分周回路６０２により出力される様々な周波数の信号はヘルプ情報出力回路６１２に入力され、様々な周波数信号のある特定の周波数のタイミングより、ヘルプ文字列情報をスクロールで文字送りする点である。スクロールで文字送りする動作は、図８にて説明する。
第三に、機能選択回路６０８がスクロールスピード設定可能な状態において、機能スイッチ６０５ａを入力すると、入力回路６０６によりスイッチ情報が機能選択回路６０８に入力され、機能選択回路６０８はスクロールスピード設定機能を選択し、設定情報記憶回路６０９に記憶しているスクロールスピード情報を任意変更する。ヘルプ情報出力回路６１２は、スクロールスピード情報により分周回路６０２により様々な周波数の信号から任意周波数を選択し、設定されたタイミングにより文字列情報をスクロールで文字送りする点である。
【００１７】
第四に、ヘルプスイッチ６０５ｂを入力すると、入力回路６０６はヘルプ情報選択回路６１１にヘルプスイッチ入力されたスイッチ情報を出力する。ヘルプ情報選択回路６１１にヘルプ情報を選択し、ヘルプ情報出力回路６１２にヘルプ情報出力を要求する。ヘルプ情報出力回路６１２はヘルプ情報出力の要求を受け、ヘルプ情報を出力する前に、分周回路６０２により出力される様々な周波数の信号をカウントすることにより、ある一定時間ヘルプ情報出力を予告する情報を表示駆動回路に出力する点である。ヘルプ情報出力を予告する動作は、図１０にて説明する。
【００１８】
図７はヘルプ情報出力回路６１２がスイッチ位置を示す表示要素を点滅させるデータ出力を示すタイムチャートである。図７において、分周回路６０２により出力される様々な周波数の信号の中から、スイッチ位置を示す表示要素を点滅させるタイミングを持つクロック７０１は、電圧、電流、周波数等を基準にしきいレベルＶｔｈ７０２を決める。しきいレベルＶｔｈ７０２を基準として、Ｈレベル、Ｌレベルに分ける。しきいレベルＶｔｈ７０２以上がＨレベルとし、しきいレベルＶｔｈより低いとＬレベルとする。信号７０１がＬレベルからＨレベルに変化するとき（７０３）、ヘルプ情報出力回路６１２がＨレベルであると判断し、スイッチ位置を示す表示要素を点灯させるデータ７０５を出力する。逆に信号がＨレベルからＬレベルに変化するとき（７０４）、Ｌレベルであると判断し、スイッチ位置を示す表示要素を消灯させるデータ７０６を出力する。点灯と消灯が繰り返されることで、点滅させることができる。
【００１９】
図８はヘルプ文字列情報の文字スクロールの動作を示すフローチャートである。図８において、ヘルプ出力回路６１２は、ヘルプ情報選択回路６１１により選択されたヘルプ文字列情報の先頭に文字の位置を示すポインタｓｐを置き（８０１）、ポインタｓｐの示す文字をフォントデータｆｄに変換する（８０２）。ポインタｓｐの示す文字が‘Ｆ’の場合におけるフォントデータを図１６に示す。フォントデータ８１２のハッチングされているところが点灯データで、ハッチングされていないところが消灯データになる。フォントデータｆｄは複数の列×行の２進コード化されたデータになっており、点灯データ、消灯データを２進コードで表すと、上の行から最上位ｂｉｔで、ｆ１列は“１１１１１１１ｂ”、ｆ２列は“１００１０００ｂ”、ｆ３列は“１００１０００ｂ”、ｆ４列は“１００１０００ｂ”、ｆ５列は“１００１０００ｂ”、ｆ６列は“０００００００ｂ”、となる。フォントデータｆｄの左端列ｆ１にフォントの列位置を示すポインタｆｐを置き（８０３）、ポインタｆｐの示す列のフォントデータを図１７に示すドットマトリクス部８１３の右端列ｄ１に出力する（８０４）。文字‘Ｆ’の場合、ｆ１列のフォントデータ“１１１１１１１ｂ”が出力され、ドットマトリクス部ｄ１列は全ての行点灯する。８０４の後、分周回路６０２より出力される様々な周波数の信号の中から、スクロールの文字送りのタイミングを決めるある特定のクロック８１１のＨレベルからＬレベルに変わる立ち下がりのタイミングで割り込みが発生する。割り込みが発生するまで待ち続け（８０５）、割り込みが発生すると、ドットマトリクス部ｄ１列のデータはｄ２列へ、ｄ２列のデータはｄ３列へ、ｄ３列のデータはｄ４列へ、…ｄｎ列のデータはｄｎ＋１列へ、移動する（８０６）。フォントデータｆｄの列を示すポインタｆｐは次の列に進め（８０７）、ポインタｆｐが右端列ｆ６のを越えた場合８０９へ、ｆ６を越えない場合８０４へ分岐する（８０８）。右端列ｆ６はフォントデータｆｄの最後の列であり、ｆ６を越えない場合は８０４に分岐し、ポインタｆｐがｆ６を越えない限り、８０４、８０５、８０６、８０７を繰り返し、ｆ２、ｆ３、ｆ４、ｆ５、ｆ６列の示すフォントデータをドットマトリクス部ｄ１列に出力する。またドットマトリクス部８１３の列データは順次左隣の列にシフトを繰り返す。ポインタｆｐがｆ６越えた場合、ポインタｓｐの示す文字のフォントデータｆｄが全て出力されたことにより、ポインタｓｐを次の文字位置に進め（８０９）、ポインタｓｐの示す文字がエンドコード“００Ｈ”の場合、次のヘルプ情報へ、エンドコードではない場合、８０２に分岐される（８１０）。８１０の比較で、エンドコードではない場合、８０２、８０３、８０４、８０５、８０６、８０８、８０９の動作をヘルプ文字列情報が終了するまで繰り返す。８１０の比較で、エンドコードの場合、ヘルプ文字列情報が終了したと判断し、ヘルプ情報出力回路６１２は次のヘルプ情報をヘルプ情報選択回路６１１に要求する。
【００２０】
また前記８０５の割り込み発生するタイミングは、機能選択回路６０８がスクロールスピード設定可能な状態において、設定情報記憶回路６０９に記憶しているスクロールスピード情報を任意変更可能であり、図１８に示すように、クロック８１１のＨレベルからＬレベルに変わる立ち下がりのタイミングで割り込みが発生すると前記説明したが、ＬレベルからＨレベルに変わる立ち下がりのタイミング、または立ち下がり立ち上がり両方でも可能である。
【００２１】
図９はドットマトリクス部文字スクロール出力の一例を示す図である。図９において、ヘルプ文字列情報“Ｆｒｏｍ  ”である場合、文字コードは‘Ｆ’が“４６Ｈ”、‘ｒ’が“７２Ｈ”、‘ｏ’が“６ＦＨ”、‘ｍ’が“６ＤＨ”、スペースが“２０Ｈ”、エンドコード“００Ｈ”の順に並んでいる。‘Ｆ’、‘ｒ’、‘ｏ’、‘ｍ’、スペースのデータはそれぞれ９０１、９０２、９０３、９０４、９０５のデータになる。最初に文字ポインタｓｐは‘Ｆ’の位置に置かれ（８０１）、またフォントデータの列の位置を示すポインタｆｐはフォントデータ９０１の左端列に置かれ（８０３）、ポインタｆｐの示す列のフォントデータをドットマトリクス部右端列に出力する（９０６）。ヘルプ情報出力回路６１２は８０５で示す割り込みを待ち、割り込みが発生すると、ドットマトリクス部左端列から２番目のデータは左端列１番目に移動し、ドットマトリクス部左端列から３番目のデータは左端列から２番目に移動し、…ドットマトリクス部右端列１番目のデータは右端列から２番目に移動し、順番に左側の列からシフトを繰り返し（８０６）、ポインタｆｐを右側列２番目に進め（８０７）、ポインタｆｐの示す列のフォントデータをドットマトリクス部右端列に出力する（９０７）。ポインタｆｐがフォントデータ９０１の左端列を越えるまで、８０５で示す割り込み発生のタイミングにより、ドットマトリクス部の列シフトと（８０６）、ポインタｆｐを進め（８０７）ドットマトリクス部右端列にｆｐの示す列のフォントデータの出力を繰り返す（９０８、９０９、９１０、９１１）。ポインタｆｐがフォントデータ９０１の左端列を越えると、ポインタｓｐを次の文字‘ｒ’に進め（８０９）、ポインタｆｐをフォントデータ９０２の右端列に置き（８０３）、ポインタｆｐの示す列のフォントデータをドットマトリクス部右端列に出力後（９１２）、前記文字‘Ｆ’同様にドットマトリクス部の左側の列からシフト（８０６）を繰り返し、ポインタｆｐを進め（８０７）、ドットマトリクス部右端列にフォントデータを出力する（８０４）動作を繰り返す（９１３、９１４、９１５、９１６、９１７）。ポインタｆｐがフォントデータ９０２の右端列を越えると、ポインタｓｐを次の文字‘ｏ’に進め（８０９）、ポインタｆｐをフォントデータ９０３の左端列に置き（８０３）、ポインタｆｐの示す列のフォントデータをドットマトリクス部右端列に出力後（９１８）、前記文字‘Ｆ’同様にドットマトリクス部の左側の列からシフト（８０６）を繰り返し、ポインタｆｐを進め（８０７）、ドットマトリクス部右端列にフォントデータを出力する（８０４）動作を繰り返す（９１９、９２０、９２１、９２２、９２３）。ポインタｆｐがフォントデータ９０３の右端列を越えると、ポインタｓｐを次の文字‘ｍ’に進め（８０９）、ポインタｆｐをフォントデータ９０４の左端列に置き（８０３）、ポインタｆｐの示す列のフォントデータをドットマトリクス部右端列に出力後（９２４）、前記文字‘Ｆ’同様にドットマトリクス部の左側の列からシフト（８０６）を繰り返し、ポインタｆｐを進め（８０７）、ドットマトリクス部右端列にフォントデータを出力する（８０４）動作を繰り返す（９２５、９���６、９２７、９２８、９２９）。ポインタｆｐがフォントデータ９０４の右端列を越えると、ポインタｓｐを次のスペースに進め（８０９）、ポインタｆｐをフォントデータ９０５の左端列に置き（８０３）、ポインタｆｐの示す列のフォントデータをドットマトリクス部右端列に出力後（９３０）、前記文字‘Ｆ’同様にドットマトリクス部の左側の列からシフト（８０６）を繰り返し、ポインタｆｐを進め（８０７）、ドットマトリクス部右端列にフォントデータを出力する（８０４）動作を繰り返す（９３１、９３２、９３３、９３４、９３５）。ポインタｆｐがフォントデータ９０４の右端列を越えると、ポインタｓｐはエンドコードに進み（８０９）、ヘルプ情報出力回路６１２は次のヘルプ情報をヘルプ情報選択回路６１１に要求する。
【００２２】
図１０はヘルプ情報予告出力動作を示すフローチャート図である。図１０において、ヘルプ情報出力回路６１２はヘルプ情報選択回路６１１より、ヘルプ情報の出力を要求されるのを待ち（１００１）、ヘルプ情報の出力を要求されると、現在のモード及び状態との区別を明確にするために、ヘルプ情報を出力する前にヘルプ情報出力の予告を、デジット部１１０３に表示するように表示駆動回路６１４に表示データを出力する（１００２）。分周回路６０２により出力される様々な周波数の信号の中から、ある特定の周波数を持ったクロックによりカウントし（１００３）、ある一定時間になるまで１００３に戻り、クロックカウントし続け、ある一定時間を越えると１００５に分岐する（１００４）。一定時間を越えるとヘルプ情報予告出力を停止し（１００５）、ヘルプ情報選択回路６１１により選択されたヘルプ情報を出力する（１００６）。
【００２３】
図１１はヘルプ情報予告表示の一例を示した図である。図１１のハッチングしている部分がヘルプ情報予告表示を表し、デジット部１１０３に “ＨＥＬＰ”、ヘルプ出力中を示すアイコン１１０４が表示されている。デジット部１１０３を点灯する理由として、ドット部１１０６に表示し場合、次に表示されるヘルプ情報をドット部１１０８に表示するのと区別したいためである。また予告表示は選択されたヘルプスイッチ位置を示す表示要素（１１０１、１１０２、１１０６、１１０８）を全て点灯するなども可能である。また点灯データは図７のスイッチ位置を示す表示要素の点滅動作で説明したように、分周回路６０２により出力される様々な周波数の信号の中から、ある特定の周波数を持ったクロックのタイミングにより、点滅することも可能である。
【００２４】
図１２は本発明に関する電子時計の一例を示す機能ブロック図である。図１２において、図１との相違はヘルプ情報計数比較回路１２１１と、ヘルプ情報計数回路１２１２の手段が増えた構成により、ヘルプ情報出力の繰り返し回数が制御可能になったことである。以下にその内容を説明する。
第一に、ヘルプスイッチ１２０５ｂを入力すると、入力回路１２０６ヘルプスイッチが入力されたスイッチ情報に変換し、ヘルプ情報選択回路１２１３にヘルプ情報の要求が入力され、ヘルプ情報選択回路１２１３はヘルプ情報記憶回路１２１５により記憶されているヘルプ情報を選択する。ヘルプ情報記憶回路１２１５はモード及び設定状態により分類化したヘルプスイッチ情報とスイッチの機能を説明するヘルプ文字列情報の構成によるヘルプ情報で記憶している。ヘルプ情報選択回路１２１３により選択されたヘルプ情報をヘルプ情報出力回路１２１４は表示駆動回路１２１６に出力する。あるモード及び設定状態で複数のヘルプ情報が選択された場合、ヘルプ情報出力回路１２１４が１つのヘルプ情報の出力を終了すると、ヘルプ情報選択回路１２１３に次のヘルプ情報を要求し、次々とヘルプ情報を出力する。ヘルプ情報選択回路１２１３に選択された複数のヘルプ情報が一通り出力されると、ヘルプ情報計数回路１２１２はカウントする。設定情報記憶回路１２１０は、複数選択されたヘルプ情報を何回出力するかヘルプ情報の繰り返し回数をあらかじめ記憶している。ヘルプ情報計数比較回路１２１１はヘルプ情報計数回路１２１２によりカウントされたカウント値とヘルプ情報の繰り返し回数とを比較し、ヘルプ情報の繰り返し回数が一致した場合、ヘルプ情報出力回路１２１４にヘルプ情報の出力停止を命令する。一致しない場合、ヘルプ情報出力回路１２１４に複数選択されたヘルプ情報を再出力する命令を出力し、ヘルプ情報出力回路１２１４はヘルプ情報選択回路１２１３にヘルプ情報を要求し、最初に表示したヘルプ情報を出力する。ヘルプ情報計数比較回路１２１１がヘルプ情報計数回路１２１２のカウント値とヘルプ情報の繰り返し回数と比較し一致した場合、ヘルプ情報出力回路１２１４にヘルプ情報の出力停止命令を出力すると同時に設定情報記憶回路１２１０をヘルプ情報出力前のモード及び状態に戻し、ヘルプ情報の出力停止命令を受けたヘルプ情報出力回路１２１４はヘルプ情報計数回路１２１２の値をリセットする。設定情報記憶回路１２１０に記憶されているヘルプ情報の繰り返し回数出力することが可能になる。
【００２５】
第二に、機能選択回路１２０８がヘルプ情報の繰り返し回数が設定可能な状態において、機能スイッチ１２０５ａを入力すると、入力回路１２０６からのスイッチ情報により、機能選択回路１２０８はヘルプ情報の繰り返し回数を設定する機能を選択し、設定情報記憶回路１２０８に記憶しているをヘルプ情報の繰り返し回数の設定値を変更する動作をおこなう。ヘルプ情報の繰り返し回数を任意設定し、任意回数ヘルプ情報を出力することができる。
【００２６】
第三に、ヘルプ情報記憶回路１１３が、ある任意のモード及び設定状態において複数のヘルプ情報を記憶している場合、ヘルプ情報出力回路１２１４が、１つのヘルプ情報を出力しているとき、ヘルプスイッチ１２０５ｂを入力すると、入力回路１２０６はヘルプ情報選択回路１２１３にヘルプスイッチ入力されたスイッチ情報を出力する。ヘルプ情報選択回路１２１３は、前記ヘルプ情報が出力中と判断し、前記ヘルプ情報とは違う他のヘルプ情報を選択し、ヘルプ情報出力回路１２１４はヘルプ情報を出力し、ヘルプ情報計数回路１２１２の値をリセットする。ヘルプスイッチ１２０５ｂの入力毎に、ヘルプ情報出力回路１２１４は順次ヘルプ情報を出力することが可能になる。
【００２７】
図１３は、図１２におけるヘルプ情報出力中にヘルプスイッチ１２０５ｂ入力されたときの動作を示すタイムチャート図である。図１３において、タイムチャートのデータはヘルプスイッチ入力信号１３０１、ヘルプスイッチ情報のデータ、ヘルプ情報計数回路１２１２に入力されるリセット信号１３０３、ヘルプ情報計数回路のカウント値１３０４、ヘルプ情報の先頭データ１３０５によるものである。時計モード、ＬＯＣＫ、ホームタイム、ヘルプ出力されていない状態で、図３の分類表を参考にすると、ヘルプスイッチ１２０５ｂを入力すると（１３０１ａ）、ヘルプ情報選択回路１２１３は、ヘルプスイッチ情報がスイッチＣ、スイッチＤ、スイッチＡ、スイッチＢと並んだヘルプ情報を得る。ヘルプ情報出力回路１２１４はスイッチＣのヘルプ情報を出力し（１３０２ａ）、またヘルプ情報出力回路１２１４は最初に出力した先頭のヘルプ情報を記憶する（１３０５ａ）。ヘルプ情報計数回路のカウント値１３０４は出力前から‘０’になっている。スイッチＣのヘルプ情報の出力（１３０２ａ）が終了すると、ヘルプ情報出力回路１２１４は次のヘルプ情報を要求し、スイッチＤのヘルプ情報を出力する（１３０２ｂ）。スイッチＤのヘルプ情報の出力（１３０２ｂ）が終了すると、ヘルプ情報出力回路１２１４は次のヘルプ情報を要求し、スイッチＡのヘルプ情報を出力する（１３０２ｃ）。スイッチＡのヘルプ情報の出力（１３０２ｃ）が終了すると、ヘルプ情報出力回路１２１４は次のヘルプ情報を要求し、スイッチＢのヘルプ情報を出力する（１３０２ｄ）。スイッチＢ（１３０２ｄ）のヘルプ情報の出力が終了すると、ヘルプ情報出力回路１２１４は次のヘルプ情報を要求し、スイッチＣのヘルプ情報を出力する（１３０２ｅ）。このとき、ヘルプ出力回路１２１４は記憶していたヘルプ情報先頭データとスイッチｃが一致し、ヘルプ情報が一周したことを判断し、ヘルプ情報計数回路１２１２のカウント値＋１をする（１３０４ｂ）。ヘルプ情報繰り返し回数が１回ではない場合、ヘルプ情報計数比較回路１２１１はヘルプ情報を再出力する命令を出力し、ヘルプ情報出力回路１２１４はヘルプ情報選択回路１２１３にヘルプ情報を要求し、最初に表示したスイッチＣのヘルプ情報を出力する（１３０２ｅ）。スイッチＣのヘルプ情報の出力（１３０２ｅ）が終了すると、ヘルプ情報出力回路１２１４は次のヘルプ情報を要求し、スイッチＤのヘルプ情報を出力する（１３０２ｆ）。スイッチＤのヘルプ情報を出力（１３０２ｆ）中に、ヘルプスイッチ１２０５ｂを入力すると（１３０１ｂ）、ヘルプ情報選択回路１２１３はヘルプ情報出力中と判断し、次のヘルプ情報の出力を要求する。ヘルプ情報出力回路１２１４は、現在ヘルプ情報出力中であるスイッチＤのヘルプ情報（１３０２ｆ）を終了し、次のヘルプ情報であるスイッチＡのヘルプ情報をを出力し（１３０２ｇ）、先頭のヘルプ情報をスイッチＡに変更する（１３０５ｂ）。またヘルプ情報出力回路１２１４はヘルプ情報計数回路１２１２にリセット信号を送り（１３０３ａ）、カウント値をリセットする（１３０４ｃ）。スイッチＡのヘルプ情報の出力（１３０２ｇ）が終了すると、ヘルプ情報出力回路１２１４は次のヘルプ情報を要求し、スイッチＢのヘルプ情報を出力する（１３０２ｈ）。スイッチＢのヘルプ情報を出力（１３０２ｈ）中に、ヘルプスイッチ１２０５ｂを入力すると（１３０１ｃ）、ヘルプ情報選択回路１２１３はヘルプ情報出力中と判断し、次のヘルプ情報の出力を要求する。ヘルプ情報出力回路１２１４は、現在ヘルプ情報出力中であるスイッチＢのヘルプ情報（１３０２ｈ）を終了し、次のヘルプ情報であるスイッチＣのヘルプ情報をを出力し（１３０２ｉ）、先頭のヘルプ情報をスイッチＣに変更する（１３０５ｃ）。またヘルプ情報出力回路１２１４はヘルプ情報計数回路１２１２にリセット信号を送り（１３０３ｂ）、カウント値をリセットする（１３０４ｃ）。スイッチＣのヘルプ情報を出力（１３０２ｉ）中に、ヘルプスイッチ１２０５ｂを入力すると（１３０１ｄ）、ヘルプ情報選択回路１２１３はヘルプ情報出力中と判断し、次のヘルプ情報の出力を要求する。ヘルプ情報出力回路１２１４は、現在ヘルプ情報出力中であるスイッチＣのヘルプ情報（１３０２ｉ）を終了し、次のヘルプ情報であるスイッチＤのヘルプ情報をを出力し（１３０２ｊ）、先頭のヘルプ情報をスイッチＤに変更する（１３０５ｄ）。またヘルプ情報出力回路１２１４はヘルプ情報計数回路１２１２にリセット信号を送り（１３０３ｃ）、カウント値をリセットする（１３０４ｃ）。図１３のタイムチャート図を説明したように、ヘルプスイッチ１２０５ｂの入力毎に、ヘルプ情報出力回路１２１４は順次ヘルプ情報を出力する。
【００２８】
図１４は本発明に関する電子時計の一例を示す機能ブロック図である。図１４において、図１との相違は機能選択回路からヘルプ情報出力要求や、ヘルプ情報出力停止命令が出力できることである。以下にその内容を説明する。
第一に、ヘルプ情報出力時に、操作有効な機能スイッチ１０５ａを入力したとき、機能選択回路１４０８はヘルプ情報出力回路１４１２にヘルプ情報出力終了命令を出力し、ヘルプ情報出力回路１４１２はヘルプ情報の出力を終了する。また機能選択回路１４０８は計数回路１４０３のカウント開始及び停止する機能、計数情報の修正などを要求する機能、設定情報記憶回路１４１０の設定情報を変更する機能、のどれかを選択し各機能動作を行う。ヘルプ情報を出力しているとき、操作有効な機能スイッチ１４０５ａを入力によりヘルプ情報出力を終了させる命令を出力する。
【００２９】
第二にある任意のモード及び設定状態において、操作無効な機能スイッチ１４０５ａを入力したとき、入力回路１４０６により、操作無効なスイッチ情報が機能選択回路１４０７に出力される。機能選択回路１４０７は操作無効なスイッチ情報と判断すると、ヘルプ情報の出力開始命令をヘルプ情報出力回路１４１２に出力する。ヘルプ情報出力回路１４１２はヘルプ情報選択回路１４１１にヘルプ情報を要求し、ヘルプ情報選択回路１４１１はモード及び設定状態により、ヘルプ情報記憶回路１４１３からヘルプ情報を選択する。ヘルプ情報出力回路１４１３は選択されたヘルプ情報を出力する。ヘルプスイッチ１４０５ｂの入力に関わらず機能スイッチ１４０５ａで無効操作するとヘルプ情報を出力することが可能である。
【００３０】
以上説明した、ヘルプ情報選択回路、ヘルプ情報出力回路、ヘルプ情報比較回路はマイコンなどによりプログラミングされたＲＯＭをＣＰＵで演算処理し、ヘルプ情報記憶回路のデータはＲＯＭに記憶し、ヘルプ情報計数回路はカウンタなどにすることにより実現可能である。
【００３１】
【発明の効果】
本発明は以上説明した形態により実施され、発振回路１０１、分周回路１０２、計数回路１０３、計数情報出力回路１０４、機能スイッチ１０５ａ、ヘルプスイッチ１０５ｂ入力回路１０６、機能出力回路１０７、機能選択回路１０８、設定情報出力回路１０９、設定情報記憶回路１１０、ヘルプ情報選択回路１１１、ヘルプ情報出力回路１１２、ヘルプ情報記憶回路１１３、表示駆動回路１１４、表示部１１５、を構成することにより、電子時計において、利用者が期待する操作をわからないとき、即時に期待する操作を明確にはでき、取扱説明書を携帯しなくても、期待する操作方法を明確にすることができる。
【００３２】
ヘルプ情報を繰り返し表示させることにより、繰り返してヘルプ情報を表示して欲しいユーザーの要求を満足することができる。また、ユーザーがヘルプ情報を読めない場合でも、はじめから操作せずに、ヘルプ情報を読むことができる。ヘルプ情報をスクロールして表示させることにより、ヘルプ情報を一括で表示することができない場合でも、限られた表示面積で語句を省略することなく、ユーザが理解しやすい表現でヘルプ情報を表示することができる。
【００３３】
関連する情報を点滅させることにより、ユーザーにヘルプ情報が出力されていることを意識させることができる。また、ヘルプを表示している状態であることを認識させることもできる。
スクロールスピードを任意に設定することにより、各ユーザーが自己の文字を読むスピードでヘルプ情報を読むことができる。また、ユーザーにヘルプ情報をわかりやすく表示することができ、ユーザーのヘルプ情報に対する理解度を向上させることができる。
【００３４】
予告表示をすることにより、ユーザーがヘルプ情報を表示する状態となったことを認識させることができる。また、現在ヘルプ情報を表示する状態であることを確認することができる。
【図面の簡単な説明】
【図１】本発明に関する電子時計の一例を示す機能ブロック図である。
【図２】本発明に関するヘルプ情報選択回路の動作を示すフローチャートである。
【図３】本発明に関するヘルプ情報選択回路の動作の一例を示す分類表である。
【図４】本発明に関する表示部の一例を示す図である。
【図５】本発明に関するヘルプ情報出力回路の動作を示すフローチャートである。
【図６】本発明に関する電子時計の一例を示す機能ブロック図である。
【図７】本発明に関するスイッチ位置を示す表示要素を点滅させるデータ出力を示すタイムチャートである。
【図８】本発明に関するヘルプ情報出力回路のスクロール動作を示すフローチャートである。
【図９】本発明に関するドットマトリクス部文字スクロール出力の一例を示す図である。
【図１０】本発明に関するヘルプ情報予告出力動作を示すフーローチャート図である。
【図１１】本発明に関するヘルプ情報予告表示の一例を示す図である。
【図１２】本発明に関する電子時計の一例を示す機能ブロック図である。
【図１３】本発明に関する電子時計の一例を示す機能ブロック図である。
【図１４】本発明に関する電子時計の一例を示す機能ブロック図である。
【図１５】従来の電子時計を示す機能ブロック図である。
【図１６】本発明に関するフォントデータの例を示す図である。
【図１７】本発明に関するドットマトリクス部の例を示す図である。
【図１８】本発明に関するクロックのタイミングの例を示す図である。
【符号の説明】
１０１    発振回路
１０２    分周回路
１０３    計数回路
１０４    計数情報出力回路
１０５ａ    機能スイッチ
１０５ｂ    ヘルプスイッチ
１０６    入力回路
１０７    機能出力回路
１０８    機能選択回路
１０９    設定情報出力回路
１１０    設定情報記憶回路
１１１    ヘルプ情報選択回路
１１２    ヘルプ情報出力回路
１１３    ヘルプ情報記憶回路
１１４    表示駆動回路
１１５    表示部
４０１、４０２、４０７、４０８    表示要素
４０３    デジット部
４０４、４０５    アイコン
４０６    ドットマトリクス部
６０１    発振回路
６０２    分周回路
６０３    計数回路
６０４    計数情報出力回路
６０５ａ    機能スイッチ
６０５ｂ    ヘルプスイッチ
６０６    入力回路
６０７    機能出力回路
６０８    機能選択回路
６０９    設定情報出力回路
６１０    設定情報記憶回路
６１１    ヘルプ情報選択回路
６１２    ヘルプ情報出力回路
６１３    ヘルプ情報記憶回路
６１４    表示駆動回路
６１５    表示部
７０１    スイッチ位置を示す表示要素点滅タイミングのクロック波形
７０２    クロック波形しきいレベル
７０３    スイッチ位置を示す表示要素点滅タイミングのクロック波形立ち上がり
７０４    スイッチ位置を示す表示要素点滅タイミングのクロック波形立ち下がり
７０５    点灯データ
７０６    消灯データ
８１１    文字スクロールタイミングのクロック波形
８１２    文字‘Ｆ’のフォントデータ
８１３    ドットマトリクス部
９０１    文字‘Ｆ’のフォントデータ
９０２    文字‘ｒ’のフォントデータ
９０３    文字‘ｏ’のフォントデータ
９０４    文字‘ｍ’のフォントデータ
９０５    スペース文字のフォントデータ
１００１    スイッチＢの表示位置を示す表示要素
１００２    スイッチＣの表示位置を示す表示要素
１００３    デジット部
１００４    設定情報を示すアイコン類
１００５    ヘルプ出力中を示すアイコン
１００６    スイッチＡの表示位置を示す表示要素
１００７    スイッチＤの表示位置を示す表示要素
１００８    ドットマトリクス部
１２０１    発振回路
１２０２    分周回路
１２０３    計数回路
１２０４    計数情報出力回路
１２０５ａ    機能スイッチ
１２０５ｂ    ヘルプスイッチ
１２０６    入力回路
１２０７    機能出力回路
１２０８    機能選択回路
１２０９    設定情報出力回路
１２１０    設定情報記憶回路
１２１１    ヘルプ情報計数比較回路
１２１２    ヘルプ情報計数回路
１２１３    ヘルプ情報選択回路
１２１４    ヘルプ情報出力回路
１２１５    ヘルプ情報記憶回路
１２１６    表示駆動回路
１２１７    表示部
１３０１    ヘルプスイッチ入力信号
１３０２    ヘルプ情報出力データ
１３０３    ヘルプ情報計数回路リセット信号
１３０４    ヘルプ情報計数回路カウント値
１３０５    ヘルプ情報先頭データ
１４０１    発振回路
１４０２    分周回路
１４０３    計数回路
１４０４    計数情報出力回路
１４０５ａ    機能スイッチ
１４０５ｂ    ヘルプスイッチ
１４０６    入力回路
１４０７    機能出力回路
１４０８    機能選択回路
１４０９    設定情報出力回路
１４１０    設定情報記憶回路
１４１１    ヘルプ情報選択回路
１４１２    ヘルプ情報出力回路
１４１３    ヘルプ情報記憶回路
１４１４    表示駆動回路
１４１５    表示部
１５０１    発振回路
１５０２    分周回路
１５０３    計数回路
１５０４    計数情報出力回路
１５０５ａ    機能スイッチ
１５０５ｂ    ヘルプスイッチ
１５０６    入力回路
１５０７    機能出力回路
１５０８    機能選択回路
１５０９    設定情報出力回路
１５１０    設定情報記憶回路
１５１１    表示駆動回路
１５１２    表示部
【図１】
0003723010.tif 000002
【図２】
0003723010.tif 000003
【図３】
0003723010.tif 000004
【図４】
0003723010.tif 000005
【図５】
0003723010.tif 000006
【図６】
0003723010.tif 000007
【図７】
0003723010.tif 000008
【図８】
0003723010.tif 000009
【図９】
0003723010.tif 000010
【図１０】
0003723010.tif 000011
【図１１】
0003723010.tif 000012
【図１２】
0003723010.tif 000013
【図１３】
0003723010.tif 000014
【図１４】
0003723010.tif 000015
【図１５】
0003723010.tif 000016
【図１６】
0003723010.tif 000017
【図１７】
0003723010.tif 000018
【図１８】
0003723010.tif 000019